(57)【要約】      （修正有）【課題】脆弱壁材に取付けた荷重受け部材に大きな荷重が作用しても、取付具が壁材を突き破って飛び出すことのない取付構造を提供する。【解決手段】透孔１ａを穿設した脆弱壁材１に手摺棒Ｂなどを支持する荷重受け部材７を、ネジ孔３ａを有する金属製横棒３の一方端部に樹脂製の支持片４を取付けた取付具２と、前記ネジ孔３ａに螺合するビス５とによって取付ける取付構造であって、前記荷重受け部材７の取付孔８ａを有する環状フランジ部８と脆弱壁材１との間に、前記脆弱壁材１の透孔１ａと環状フランジ部８の取付孔８ａとに連続する通孔６ａを有する平板状の座板６を介在させる。【選択図】図５
0003101695.tif 000002
【実用新案登録請求の範囲】
【請求項１】
透孔（１ａ）を穿設した脆弱壁材（１）に手摺棒（Ｂ）などを支持する荷重受け部材（７）を，ネジ孔（３ａ）を有する金属製横棒（３）の一方端部に樹脂製の支持片（４）を取付けた取付具（２）と，前記ネジ孔に螺合するビス（５）とによって取付ける取付構造であって、
前記荷重受け部材の取付孔（８ａ）を有する環状フランジ部（８）と脆弱壁材との間に，前記脆弱壁材の透孔と環状フランジ部の取付孔とに連続する通孔（６ａ）を有する平板状の座板（６）を介在させてなる荷重受け部材の取付構造。
【請求項２】
透孔（１ａ）を穿設した脆弱壁材（１）に手摺棒（Ｂ）などを支持する荷重受け部材（７）を，ネジ孔（３ａ）を有する金属製横棒（３）の一方端部に樹脂製の支持片（４）を取付けた取付具（２）と，前記ネジ孔に螺合するビス（５）とによって取付ける取付構造であって、
前記荷重受け部材の取付孔（８ａ）を有する環状フランジ部（８）と脆弱壁材との間に，前記脆弱壁材の透孔と環状フランジ部の取付孔とに連続する通孔（６ａ）を有する平板状の座板（６）を介在させ、
前記座板を、環状フランジ部よりやや大径の円板状としてなる荷重受け部材の取付構造。
【考案の詳細な説明】
【技術分野】
【０００１】
本考案は、石膏ボード製や、肉薄で強度の弱い、いわゆる脆弱壁材に、手摺、エアコン、テレビ、絵画等の荷重物を受けるための荷重受け部材を取付ける取付構造に関するものである。
【背景技術】
【０００２】
図１および図２を参照して説明する。従来、家屋内に手摺棒Ｂを取付けるために、壁材１０に、その手摺棒Ｂを支持するための荷重受け部材７を取付けている。この荷重受け部材７を取付ける手段として、ネジ孔３ａを有する金属製横棒３の一方端部に樹脂製の支持片４を取付けた取付具２と、取付具２のネジ孔３ａに螺合するビス５とによって行うものがある。樹脂製の支持片４を取付けた取付具２を使用するのは、壁材１０の後側には手が届かないため、横棒３のネジ孔３ａにビス５を螺合する際に、当該支持片４を引っ張って支持するためである。
【特許文献１】特開平７−３３１８２９号公報
【考案の開示】
【考案が解決しようとする課題】
【０００３】
この従来技術における取付構造では、壁材が剛性の高い材料で形成されたり、大きな肉厚を有するなどの十分な強度を有する剛性壁材１０の場合には問題はないが、壁材が石膏ボードなどの弱い材質製や、肉薄であるなどの、いわゆる脆弱壁材の場合には問題があった。
【０００４】
すなわち、壁材が脆弱である場合、荷重受け部材７に大きな荷重が作用すると、それによって取付具２が壁材を突き破って飛び出してしまい、荷重受け部材７がその機能を果たせなかった。
【０００５】
ちなみに、本考案者らが行った実験では、脆弱である石膏ボード製の壁材に、手摺棒Ｂを支持するための荷重受け部材７を取付けた場合に、体重が６０ｋｇの人がその手摺棒Ｂを使用しても、当該荷重受け部材７はその荷重に耐えることができたものの、体重が１００ｋｇの人が使用した場合には、その荷重に耐えることができなかった。
【０００６】
本考案はこうした問題に鑑み創案されたもので、脆弱壁材に取付けた荷重受け部材に大きな荷重が作用しても、取付具２が壁材を突き破って飛び出すことのない取付構造を提供することを課題とする。
【課題を解決するための手段】
【０００７】
図３乃至図５を参照して説明する。請求項１に記載の考案は、透孔１ａを穿設した脆弱壁材１に手摺棒Ｂなどを支持する荷重受け部材７を、ネジ孔３ａを有する金属製横棒３の一方端部に樹脂製の支持片４を取付けた取付具２と、前記ネジ孔３ａに螺合するビス５とによって取付ける取付構造であって、前記荷重受け部材７の取付孔８ａを有する環状フランジ部８と脆弱壁材１との間に、前記脆弱壁材１の透孔１ａと環状フランジ部８の取付孔８ａとに連続する通孔６ａを有する平板状の座板６を介在させてなるものである。
【０００８】
請求項２に記載の考案は、透孔１ａを穿設した脆弱壁材１に手摺棒Ｂなどを支持する荷重受け部材７を、ネジ孔３ａを有する金属製横棒３の一方端部に樹脂製の支持片４を取付けた取付具２と、前記ネジ孔３ａに螺合するビス５とによって取付ける取付構造であって、前記荷重受け部材７の取付孔８ａを有する環状フランジ部８と脆弱壁材１との間に、前記脆弱壁材１の透孔１ａと環状フランジ部８の取付孔８ａとに連続する通孔６ａを有する平板状の座板６を介在させ、前記座板６を、環状フランジ部８よりやや大径の円板状としてなるものである。
【考案の効果】
【０００９】
請求項１に記載の考案は、透孔１ａを穿設した脆弱壁材１に手摺棒Ｂなどを支持する荷重受け部材７を、ネジ孔３ａを有する金属製横棒３の一方端部に樹脂製の支持片４を取付けた取付具２と、前記ネジ孔３ａに螺合するビス５とによって取付ける取付構造において、前記荷重受け部材７の取付孔８ａを有する環状フランジ部８と脆弱壁材１との間に、前記脆弱壁材１の透孔１ａと環状フランジ部８の取付孔８ａとに連続する通孔６ａを有する平板状の座板６を介在させているので、荷重受け部材７に大きな荷重が作用しても横棒３が脆弱壁材１を突き破って飛び出すことがない。
【００１０】
これは、座板６を設けたことによって、実施的に脆弱壁材１の肉厚を増大させた場合と同じ効果が得られるからであると考えられる。従って、荷重受け部材７に大きな荷重が作用し、その力が脆弱壁材１に加わると、座板６によって実質的に肉厚となり剛性の高くなった脆弱壁材１がその荷重に対抗することができる。これにより、荷重受け部材７の許容荷重を従来より大きくすることができる。
【００１１】
請求項２に記載の考案は、請求項１に記載の考案と同様に、荷重受け部材７に大きな荷重が作用しても、横棒３が脆弱壁材１を突き破って飛び出すことがない。また、座板６を、荷重受け部材７の環状フランジ部８よりやや大径の円板状としているので、当該荷重受け部材７に作用する荷重を、脆弱壁材１に、より広範に分散させて作用させることができ、力の一極集中を回避することができる。従って、横棒３が脆弱壁材１を突き破るといった事態をより未然に防止することができる。
【考案を実施するための最良の形態】
【００１２】
本考案に係る荷重受け部材の取付構造の実施形態を、図３乃至図５に示す。この取付構造は、風呂場などに設ける手摺棒Ｂを支持するために使用するものである。
【００１３】
本実施形態に係る取付構造は、透孔１ａを穿設した肉薄な脆弱壁材１に、手摺棒Ｂを支持する荷重受け部材７を取付けた取付構造である。この取付構造には、取付具２とビス５を使用している。取付具２は、ネジ孔３ａを有する金属製横棒３の一方端部に樹脂製の支持片４を取付けて構成している。ビス５は、横棒３のネジ孔３ａに螺合する。
【００１４】
また、荷重受け部材７は、取付孔８ａを有する環状フランジ部８を備えており、この環状フランジ部８と脆弱壁材１との間に座板６を介在させている。この座板６には、脆弱壁材１の透孔１ａと環状フランジ部８の取付孔８ａとに連続する通孔６ａを穿設している。また、この座板６は、環状フランジ部８よりやや大径の円板状に設定している。
【００１５】
座板６を設けたことによって、脆弱壁材１に肉厚を増大させたと同様の効果を与えることができ、荷重受け部材７に大きな力が作用しても、横棒３が脆弱壁材１を突き破って飛び出すことがない。また、この座板６は、荷重受け部材７の環状フランジ部８よりやや大きい円板状としているので、荷重受け部材７から脆弱壁材１に作用する力を、より広範に分散させることができる。従って、横棒３の突き破りを、さらに未然に防止することができる。
【００１６】
ちなみに、本実施形態に係る荷重受け部材の取付構造に手摺棒Ｂを取付け、その手摺棒Ｂに、体重が１００ｋｇの人が通常の力を加える実験を行った結果、荷重受け部材７はそれに耐えることができた。
【００１７】
本実施形態に係る荷重受け部材の取付構造は、一般に、次のようにして組付ける。まず、脆弱壁材１の所定箇所に透孔１ａを開ける。次に、取付具２を透孔１ａに挿入し、支持片４を引っ張って横棒３を脆弱壁材１の裏面に当てる。続いて、支持片４を座板６の通孔６ａに通し、座板６を脆弱壁材１の表面に当てる。さらに、この支持片４を荷重受け部材７の取付孔８ａに通し、環状フランジ部８を座板６に当接させた状態で、ビス５を、取付孔８ａ、通孔６ａおよび透孔１ａの順に通して横棒３のネジ孔３ａに螺合し、締め付ける。また、脆弱壁材１の表面から突出している支持片４の切除部４ａを切除する。最後に、こうした取付けた荷重受け部材７に手摺棒Ｂを取付ける。なお、環状フランジ部８の上からカバー９を設けることもできる。
【００１８】
なお、本実施形態では、荷重受け部材７に直線状の手摺棒Ｂを取り付けているが、図６に示すようなＬ字状の手摺棒Ｂの方が強度的に優れており、高齢者用の住宅には好適である。
【産業上の利用可能性】
【００１９】
本考案に係る荷重受け部材の取付構造は、手摺棒Ｂの支持部材として使用できる他、エアコン、壁掛けテレビ、絵画等の支持部材としても使用することができる。
【図面の簡単な説明】
【００２０】
【図１】従来例に係る荷重受け部材の取付構造を使用した手摺を示す正面図である。
【図２】図１に示す荷重受け部材の取付構造の断面図である。
【図３】本考案に係る荷重受け部材の取付構造の実施形態を使用した手摺を示す正面図である。
【図４】図３に示す荷重受け部材の取付構造の断面図である。
【図５】図３に示す取付構造の分解断面図である。
【図６】本考案の荷重受け部材の取付構造を使用した他の手摺を示す正面図である。
【符号の説明】
【００２１】
１      脆弱壁材
１ａ    透孔
２      取付具
３      横棒
３ａ    ネジ孔
４      支持片
４ａ    切除部
５      ビス
６      座板
６ａ    通孔
７      荷重受け部材
８      環状フランジ部
８ａ    取付孔
９      カバー
１０    壁材（剛性壁材）
Ｂ      手摺棒
【図１】
0003101695.tif 000003
【図２】
0003101695.tif 000004
【図３】
0003101695.tif 000005
【図４】
0003101695.tif 000006
【図５】
0003101695.tif 000007
【図６】
0003101695.tif 000008
【手続補正書】
【提出日】平成15年9月3日(2003.9.3)
【手続補正１】
【補正対象書類名】明細書
【補正対象項目名】００１４
【補正方法】変更
【補正の内容】
【００１４】
また、荷重受け部材７は、取付孔８ａを有する環状フランジ部８を備えており、この環状フランジ部８と脆弱壁材１との間に、挟圧部材となる座板６を介在させている。この座板６には、脆弱壁材１の透孔１ａと環状フランジ部８の取付孔８ａとに連続する通孔６ａを穿設している。また、この座板６は、環状フランジ部８よりやや大径の円板状に設定している。